(57)【要約】【課題】搬送時の振動や衝撃によりテープキャリアパッケージ（ＴＣＰ）付き液晶パネルが搬送トレイから容易に外れないようにする。【解決手段】搬送トレイ１１にＴＣＰ付き液晶パネル３の収納部を凹所として設け、この収納部において、ＴＣＰ２が液晶パネル１の端子部端面と重なってできるコーナー部近傍で液晶パネル１の側面に接触して位置規制するコーナー規制部７を設けている。そして、コーナー規制部７の曲面を２段階のフィレット構造に仕上げ、下側の曲面半径を小さく設定することにより、コーナー規制部７の平面部と液晶パネル１の側面との接触面を大きく取る。【選択図】　　　図１
2004018094.tif 000002
【特許請求の範囲】
【請求項１】
テープキャリアパッケージを表示体の端子部端面に接続してなるテープキャリアパッケージ付き表示体を凹所に収容して搬送させる搬送トレイにおいて、前記テープキャリアパッケージが前記表示体の端子部端面と重なってできるコーナー部近傍で前記表示体の側面に接触して位置規制するコーナー規制部を設け、このコーナー規制部の稜線が曲面に加工されるとともに、その曲面半径を前記コーナー規制部の深さ方向の下側が小さく上側が大きくなるように異なる寸法に設定したことを特徴とする搬送トレイ。
【請求項２】
テープキャリアパッケージを表示体の端子部端面に接続してなるテープキャリアパッケージ付き表示体を凹所に収容して搬送させる搬送トレイにおいて、前記テープキャリアパッケージが前記表示体の端子部端面と重なってできるコーナー部近傍で前記表示体の側面に接触して位置規制するコーナー規制部を設け、このコーナー規制部の稜線は、前記凹所内で前記表示体を支える受け部の高さから所定の高さの部分の曲面半径を、それより上の部分の曲面半径より小さくなるように２段階のフィレット構造を備えた曲面に加工されていることを特徴とする搬送トレイ。
【発明の詳細な説明】
【０００１】
【発明の属する技術分野】
本発明は、電子機器、ＯＡ（Ｏｆｆｉｃｅ　Ａｕｔｏｍａｔｉｏｎ）端末機、および広告表示などに使用される表示素子や電子部品等の搬送トレイに関するものである。
【０００２】
【従来の技術】
従来から、表示素子や電子部品等の搬送に搬送トレイが用いられている。製造された表示素子等を出荷すべく搬送する際には、表示素子等を搬送トレイ内に載置し、搬送トレイを多段に積み重ねて例えば段ボールケースに封入する作業が行われる。このように、表示素子等を搬送トレイに収納して搬送することにより、搬送時における表示素子等の損傷が極力回避できる。
【０００３】
このような従来の搬送トレイは、例えば、ポリエチレン樹脂やポリスチレン樹脂等の材料を真空成形金型による成形品が一般的に知られている。例えば、特開平８−３２４６７４号公報には、図８、図９に示すように、主面が矩形であり表示エリア等の特定な領域を有する液晶パネル１等の矩形板状体を載せる搬送用のトレイ１１が開示されている。
【０００４】
この搬送トレイ１１は、コーナー部の側面にそれぞれ接触して液晶パネル１を規制する複数のコーナー規制部７と、液晶パネル１の一側面に接触して液晶パネル１の位置を規制する側面規制部８と、液晶パネル１を裏面側又は主面側より受けて保持する受け部９とを備え、受け部９を平面視して前記特定領域以外の箇所を受けるように配設したもので、テープキャリアパッケージ（以下ＴＣＰという）２を実装したＴＣＰ付き液晶パネル３（図８参照）や、さらにプリント基板４を実装したプリント基板付き液晶パネル５（図１０参照）を収容して搬送することができる。
【０００５】
【発明が解決しようとする課題】
しかしながら、上記公報においては、図８，図９に示すように、液晶パネル１を保持し、ＴＣＰ２及びプリント基板４に直接衝撃等のストレスを加えない構造が必要となることから、液晶パネル１端子部端面からＴＣＰ２までの距離（図９中のＤ）が十分に必要となる。
【０００６】
この距離が短い場合は、コーナー規制部７がＴＣＰ２及びプリント基板４に接触することになり、搬送時の振動や衝撃が直接ＴＣＰ２やプリント基板４に加わり、液晶パネル１とＴＣＰ２、あるいはＴＣＰ２とプリント基板４の接続部へ応力が加わり、接続部破損を起こす。
【０００７】
また、図１０に示すように、搬送トレイ１１にＴＣＰ付き液晶パネル３の収納部を凹所として設け、この収納部において、ＴＣＰ２が液晶パネル１の端子部端面と重なってできるコーナー部近傍で液晶パネル１の側面に接触して位置規制するコーナー規制部７を設けている。
【０００８】
この場合、図１１のコーナー規制部７の拡大斜視図に示すように、稜線のエッジは、金型製作上の制約から、曲面上の形状となり、接触面積が小さくなる。
【０００９】
そのため、搬送トレイ１１にコーナー規制部７を形成する真空金型を小径ドリルにて微細に切削する必要がある。しかし、小径ドリルで、小さな曲面半径の切削を行なうと、ドリル自体が欠けたり、折れたりし、金型加工が事実上行えないという問題がある。例えば、１．０ｍｍΦの小径ドリルで、曲面半径０．５ｍｍＲ切削を深さ約７ｍｍにわたって加工する場合、先端がぶれてうまく削れず、そのうえ、深い為、応力がかかり折れやすい。
【００１０】
したがって、コーナー規制部７の曲面の半径をある程度大きく設定せざるを得ない。この場合、コーナー規制部７の側面と液晶パネル１の端子部端面との接触面積が極端に縮小し、搬送パネル１１が液晶パネル１を保持する力が低下する。これにより、どうしても液晶パネル１が搬送トレイ１１の収納部から浮きやすくなり、搬送時の振動や衝撃により、液晶パネル１が搬送トレイ１１の収納部より飛び出したり、搬送トレイ１１の表面に乗り上げたりし、液晶パネル１が破損するおそれがあった。
【００１１】
本発明は、かかる問題を解決するものであり、搬送時の振動や衝撃によりＴＣＰ付き液晶パネル３やプリント基板付き液晶パネルが搬送トレイ１１から容易に外れないようにすることを目的とする。
【００１２】
【課題を解決するための手段】
搬送トレイ１１は多段に積み重ねて搬送される。このとき、すぐ上の段の搬送トレイ１１に液晶パネル１が当たると破損しやすいので、コーナー規制部７をある程度深く設定して、空間的なゆとりを液晶パネル１の上側に作るようにしている。
【００１３】
したがって、受け部９に載せられた液晶パネル１の上面より上の部分では、コーナー規制部７の側面は液晶パネル１の端子部端面に接触しておらず、液晶パネル１の保持に寄与していない。保持に寄与しているのは、受け部９のレベルから一定の高さまでの部分であり、具体的には、受け部９に支えられた液晶パネル１の端子部端面の高さまでである。
【００１４】
そこで、コーナー規制部７の曲面の内面を２段階のフィレット構造に仕上げ、下段の曲面半径を上段より小さく設定することで、コーナー規制部７が液晶パネル１に接触する面積を稼ぐことにした。このことによって、搬送トレイ成形用金型の微細な切削加工は、精度と深さが要求されなくなり、切削ドリルの欠けや折れの心配がなくなる。
【００１５】
【発明の実施の形態】
本発明の実施形態について図面を参照して説明する。図１は、搬送トレイ１１からＴＣＰ付き液晶パネル３を真上へ取り出した状態を示す斜視図である。ＴＣＰ２は、その一端で液晶パネル１の端子部に接続（固定）され、液晶パネル１の外側へ水平に設けられている。
【００１６】
ＴＣＰ２は、液晶パネル１の端子部端面に対して直交方向に配置される。そこで、ＴＣＰ２が液晶パネル１の端子部端面と重なってできるコーナー部近傍で液晶パネル１の側面に接触して位置規制するコーナー規制部７を搬送トレイ１１に設けている。図１に示すように、搬送トレイ１１は、受け部９とコーナー規制部７により、液晶パネル１にＴＣＰ２を実装したＴＣＰ付き液晶パネル３を保持している。
【００１７】
図２は、搬送トレイ１１のコーナー規制部７周辺の拡大斜視図である。図２に示すように、コーナー規制部７の内面は曲面に仕上げられている。ここで、下側の斜面を下側斜面部７ｂと呼び、上側を上側斜面部７ａと呼ぶことにする。このように、コーナー規制部７の内面は、下側斜面部７ｂと上側斜面部７ａとからなる２段階のフィレット構造を有している。
【００１８】
フィレット構造とは、２つの面をつなぐ稜線部に曲面状の加工を施した形状を示す。上側斜面部７ａの上端が曲面半径が１ｍｍＲ、下側斜面部７ｂの下端の曲面半径が０．５ｍｍＲの形状を成している。これらの数値は一例であって限定されるものではない。
【００１９】
成形金型の製作は、先に０．５ｍｍＲの切削加工を行ない、１ｍｍＲの切削加工を後に行ない、切削加工は５°の勾配をつけて行なう。この数値は一例であって勾配をつけずに加工することもあり限定されるものではない。この金型上で熱可塑性のプラスチックシートを加熱、軟化させ、収納物を収納できる形状にし、軟らかい間に、外力（真空、圧空等）を加えて成形し、その後、上記シートを冷却、固化させる。こうして得られた搬送トレイ１１の原型では、コーナー規制部７に金型１２（図４参照）の形状に起因する段差７ｃ（図３、図４参照）ができるが、真空成形を行なうと、図２のように段差は滑らかになる。
【００２０】
以上のようにした作製された搬送トレイ１１には、図５の平面図と図７の断面図に示すように、その受け部９上に液晶パネル１を載せるようにして、ＴＣＰ付き液晶パネル３を凹所に収めることができる。このとき、液晶パネル１の上面は、図７の拡大断面図に示すように、下側斜面部７ｂと上側斜面部７ａの境界の高さとほぼ一致する。したがって、液晶パネル１は下側斜面部７ｂが形成されている高さより上に位置することはない。
【００２１】
また、図６の拡大平面図に示すように、下側斜面部７ｂは上側斜面部７ａより曲面が小さく平面部が広くなっているので、コーナー規制部７の側面と液晶パネル１の端子部端面との接触面積を大きく取れる。これにより、液晶パネル１の保持力が一段と向上する。したがって、搬送時の振動や衝撃に対して、ＴＣＰ付き液晶パネル３が搬送トレイ１１に乗り上げたり、脱落したりすることを防止し、液晶パネル１の破損を防止することが可能となる。
【００２２】
さらに、図６における液晶パネル１とＴＣＰ２との距離Ｄを小さくすることができるため、近年のように、パネル自体は小さくて、表示有効面積を大きくした液晶パネル１に対して、本発明は特に有効である。
【００２３】
【発明の効果】
以上説明したように本発明によると、収納される表示体（液晶パネル）の位置を規制する搬送トレイのコーナー規制部の側面と表示体の外形部分との接触面積を大きくすることができ、搬送時の振動、衝撃に対しての保持力を向上させ、表示体の破損率を低減させることができる。
【００２４】
また、コーナー規制部に２段フィレット構造を用いたことにより、搬送トレイの金型加工において、切削する小径ドリルの欠けや折れといった問題を回避し、金型加工性を向上させることが可能となる。
【図面の簡単な説明】
【図１】本発明の搬送トレイにＴＣＰ付き液晶パネルを載せるときの斜視図である。
【図２】図１の円で囲んだ部分の拡大図である。
【図３】搬送トレイの原型の斜視図であって、図２に相当する部分を拡大して示している。
【図４】搬送トレイの原型およびトレイの段面図であって、図２、図３に相当する部分の断面を示している。
【図５】ＴＣＰ付き液晶パネルを載せた搬送トレイの平面図である。
【図６】図４の円で囲んだ部分の拡大図である。
【図７】ＴＣＰ付き液晶パネルを載せた搬送トレイの断面図である。
【図８】図７の円で囲んだ部分の拡大図である。
【図９】ＴＣＰ付き液晶パネルを載せた従来の搬送トレイの斜視図である。
【図１０】プリント基板付き液晶パネルを載せた搬送トレイの斜視図である。
【図１１】従来の搬送トレイにＴＣＰ付き液晶パネルを載せるときの斜視図である。
【図１２】図１１の円で囲んだ部分の拡大図である。
【符号の説明】
１　液晶パネル（矩形板状体）
２　テープキャリアパッケージ（取付物）
３　ＴＣＰ付き液晶パネル
７　コーナー規制部
８　側面規制部
７ａ　上側斜面部
７ｂ　下側斜面部
９　受け部
１１　搬送トレイ
１２　金型
【図１】
2004018094.tif 000003
【図２】
2004018094.tif 000004
【図３】
2004018094.tif 000005
【図４】
2004018094.tif 000006
【図５】
2004018094.tif 000007
【図６】
2004018094.tif 000008
【図７】
2004018094.tif 000009
【図８】
2004018094.tif 000010
【図９】
2004018094.tif 000011
【図１０】
2004018094.tif 000012
【図１１】
2004018094.tif 000013
【図１２】
2004018094.tif 000014